(57)【要約】      （修正有）【課題】ポンプの性能を十分に発揮させるため、開口面積を確保しつつ、ストレーナの剛性を確保すること。【解決手段】吸込口２２を有する板状の弁座２０と、弁座２０の上部に回動軸２３を介して設けられ、吸込口２２を開閉する弁体３０と、弁座２０の上側を覆う弁箱４０と、弁座２０の下側に設けられ、弁座２０の外周縁に沿って形成された環状の外周部５１と、弁座２０から下方に離間し、吸込口２２に対向して設けられた支持部５２と、外周部５１と支持部５２との間に設けられ、径方向に延びる複数のリブ部とを有するストレーナ５０とを具備し、複数のリブ部は、支持部５２と外周部５１との間に直線状に形成された第１リブ６１と、支持部５２と外周部５１との間に下方に凸の曲線状に形成された第２リブ６２を有する。【選択図】図１
2015222102.tif 000002
【特許請求の範囲】
【請求項１】
吸込口を有する板状の弁座と、
この弁座の上部に回動軸を介して設けられ、前記吸込口を開閉する弁体と、
前記弁座の上側を覆う弁箱と、
前記弁座の下側に設けられ、前記弁座の外周縁に沿って形成された環状の外周部と、前記弁座から下方に離間し、前記吸込口に対向して設けられた支持部と、前記外周部と前記支持部との間に設けられ、径方向に延びる複数のリブ部とを有するストレーナとを具備し、
前記複数のリブ部は、前記支持部と前記外周部との間に直線状に形成された第１リブと、前記支持部と前記外周部との間に下方に凸の曲線状に形成された第２リブとを有することを特徴とするフート弁。
【請求項２】
基端側が前記ストレーナの外周部側に上下方向に揺動自在に設けられ、先端側が前記ストレーナから外部に突出して形成されたレバー本体、及び、このレバー本体の中間部において前記弁体に対向配置され、前記先端側が上方に揺動した場合に前記弁体に当接して前記弁座との間に隙間を形成し、前記先端側が下方に揺動した場合に前記弁体から離間する当接部を有するレバーをさらに備えていることを特徴とする請求項１に記載のフート弁。
【請求項３】
前記レバー本体の揺動中心軸は、前記第２リブに設けられていることを特徴とする請求項１に記載のフート弁。
【発明の詳細な説明】
【技術分野】
【０００１】
本発明は、ポンプ停止時に該ポンプの吸込側に圧送流体を溜めておくのに用いられるフート弁に関する。
【背景技術】
【０００２】
ポンプで受水槽等から水（圧送流体）を汲み上げる給水装置では、陸上に設置されたポンプの吸込部から延びて受水槽内の水中に没するように配管された吸込配管を通して水を圧送することが行われている（例えば、特許文献１参照。）。
【０００３】
こうした吸込配管の端部の多くには、ポンプ運転時、エアーロック（長時間、空気の吸引が続くことによる）が発生するのを回避するために、フート弁を取り付けることが行われている。
【０００４】
こうしたフート弁には、弁本体の下部に異物除去用のリブ部を有するストレーナが周方向に沿って等間隔に設けられている。
【先行技術文献】
【特許文献】
【０００５】
【特許文献１】特開平１１−１６６６４４号公報
【発明の概要】
【発明が解決しようとする課題】
【０００６】
このようなフート弁のストレーナでは、次のような問題があった。すなわち、ストレーナのリブ部は水を吸い上げる際の抵抗になり、ポンプの性能を十分に発揮できないことから、間隔を広げて抵抗損失を小さくすることが好ましい。一方、間隔を広げすぎると抵抗損失は減るが、ストレーナ自体の剛性が低下する。また、異物除去の機能も確保しなければならない。
【０００７】
そこで本発明は、ポンプの性能を十分に発揮させるため、開口面積を確保しつつ、ストレーナの剛性を確保することができるフート弁を提供することを目的としている。
【課題を解決するための手段】
【０００８】
前記課題を解決し目的を達成するために、本発明のフート弁は次のように構成されている。
【０００９】
吸込口を有する板状の弁座と、この弁座の上部に回動軸を介して設けられ、前記吸込口を開閉する弁体と、前記弁座の上側を覆う弁箱と、前記弁座の下側に設けられ、前記弁座の外周縁に沿って形成された環状の外周部と、前記弁座から下方に離間し、前記吸込口に対向して設けられた支持部と、前記外周部と前記支持部との間に設けられ、径方向に延びる複数のリブ部とを有するストレーナとを具備し、前記複数のリブ部は、前記支持部と前記外周部との間に直線状に形成された第１リブと、前記支持部と前記外周部との間に下方に凸の曲線状に形成された第２リブとを有する。
【発明の効果】
【００１０】
本発明によれば、ポンプの性能を十分に発揮させるため、開口面積を確保しつつ、ストレーナの剛性を確保することが可能となる。
【図面の簡単な説明】
【００１１】
【図１】本発明の一実施の形態に係るフート弁を示す一部切欠して示す側面図。
【図２】同フート弁を構成するストレーナを下側から見た平面図。
【発明を実施するための形態】
【００１２】
図１は本発明の一実施の形態に係るフート弁１０を示す一部切欠して示す側面図、図２はフート弁１０を構成するストレーナ５０を下側から見た平面図である。
【００１３】
フート弁１０は、吸込口２２を有する弁座２０と、この弁座２０の上部に回動軸２３を介して設けられ、吸込口２２を開閉する円板状の弁体３０と、弁座２０の上側に設けられ、弁体３０の可動範囲を覆う弁箱４０と、弁座２０の下側に設けられたストレーナ５０と、ストレーナ５０に取り付けられ、弁体３０を開閉するレバー部７０を備えている。
【００１４】
弁座２０は、板状の弁座本体２１と、この弁座本体２１の略中央に設けられた吸込口２２と、弁体３０を揺動自在に支持する回動軸２３とを備えている。なお、回動軸２３は後述する第２リブ６２側に設けられている。
【００１５】
弁体３０は、ポンプ停止時は自重及び水の重量によって吸込口２２を閉じており、ポンプ稼働時はポンプの負圧により開いた状態となる。また、メンテナンス時は図示しないワイヤ等で外部から引き上げられる。
【００１６】
弁箱４０は、ポンプの吸込配管に接続されている。
【００１７】
ストレーナ５０は、弁座本体２１の外周縁に沿って形成された環状の外周部５１と、弁座本体２１から下方に離間し、吸込口２２に対向して設けられた支持部５２と、外周部５１と支持部５２との間に設けられ、径方向に延びる複数のリブ部６０とを備えている。
【００１８】
複数のリブ部６０は、支持部５２と外周部５１との間に直線状に形成された第１リブ６１と、支持部５２と外周部５１との間に下方に凸の曲線状に形成された第２リブ６２とを有している。
【００１９】
レバー部７０は、基端側がストレーナ５０の外周部５１側に上下方向に揺動自在に設けられ、先端側がストレーナ５０から外部に突出して形成されたレバー本体７１、及び、このレバー本体７１の中間部において弁体３０に対向配置され、先端側が上方に揺動した場合に弁体３０に当接して弁座２０との間に隙間を形成し、先端側が下方に揺動した場合に弁体３０から離間する当接部７２を有している。
【００２０】
なお、レバー本体７１の揺動中心軸７３は、第２リブ６２に設けられており、この第２リブ６２に隣接するリブの少なくとも一方は第１リブ６１となっている。このため、第２リブ６２に、レバー本体７１を取り付ける作業が容易となる。また、第２リブ６２に直接、揺動中心軸７３を取り付けることができるため、別途、取付のためのボス部等をストレーナ５０の外部に設ける必要が無く、外径を小さくすることができる。
【００２１】
このように構成されたフート弁１０では、次のように動作する。すなわち、ポンプ運転時は、ストレーナ５０からポンプへ吸い込まれる水流で、弁体３０が持ち上げられて吸込孔２２を開放させる。またポンプの運転が停止すると、吸込孔２２を通じて戻るポンプ内部の水で、弁体３０が閉側に移動して吸込孔２２を閉じる。これにより、ポンプ停止時にポンプの吸込側に水を溜めて、次回のポンプの運転時、即時、吸込側の水が吸引されるようにしてある。
【００２２】
ストレーナ５０を通過する水流は、複数のリブ部６０によって、流れが阻害される。しかし、第１リブ６１と第２リブ６２とが隣接する位置においては、リブが延びる方向が異なることから水平方向から見た隙間が形成され、十分な開口面積が確保された開口部Ｑを有しており、水の抵抗損失を抑えることができる。
【００２３】
また、第１リブ６１及び第２リブ６２の数は開口部Ｑを確保しても、減ることが無いので、ストレーナ５０の剛性を十分に確保することができる。
【００２４】
なお、ポンプ内の水を排出する場合には、レバー本体７１の先端側をチェーン等で上方へ揺動させることで、当接部７２が弁体３０の下面に当接し、弁体３０が弁座２０から離間する。
【００２５】
本実施の形態に係るフート弁１０によれば、ポンプの性能を十分に発揮させるため、開口面積を十分に確保することが可能となる。また、ストレーナ５０の剛性を確保することができる。
【００２６】
なお、開口面積を同じにした場合には、ストレーナ５０の高さを抑えることができ、フート弁１０の小形化・軽量化を図ることができる。このため、製造コストを低減することが可能となる。
【００２７】
なお、本発明は前記実施の形態に限定されるものではない。この他、本発明の要旨を逸脱しない範囲で種々変形実施可能であるのは勿論である。
【符号の説明】
【００２８】
１０…フート弁、２０…弁座、３０…弁体、４０…弁箱、５０…ストレーナ、６０…リブ部、６１…第１リブ、６２…第２リブ。
【図１】
2015222102.tif 000003
【図２】
2015222102.tif 000004